(57)【特許請求の範囲】
【請求項１】
偽券を特定する記番号を含む偽券情報を記憶する偽券情報記憶手段と、
管理装置に対して最新の偽券情報を定期的に要求する偽券要求手段と、
上記管理装置から上記最新の偽券情報を取得する偽券情報取得手段と、
上記偽券情報取得手段により取得された上記最新の偽券情報を上記偽券情報記憶手段に更新する偽券情報更新手段と、
上記偽券情報記憶手段に記憶されている上記偽券情報に含まれる記番号と、取引に係る媒体の記番号との一致度に基づいて、当該媒体の真偽を判別する判別手段と、
上記判別手段による判別結果に基づいて、上記媒体を搬送先に搬送する搬送制御手段と、
還流型媒体収納手段と、
保管部と
を備え、
上記還流型媒体収納手段から媒体を出金する際、上記判別手段が、出金に係る媒体の真偽を判別し、
上記出金に係る媒体の記番号と上記偽券情報に含まれる記番号とが完全一致する偽券、及び、上記出金に係る媒体の記番号と上記偽券情報に含まれる記番号との一致度が閾値以上の疑惑券は、上記保管部に搬送される
ことを特徴とする自動取引装置。
【請求項２】
上記判別手段により判別された、偽券及び疑惑券を特定する記番号を含む検出情報を記憶する検出情報記憶手段と、
上記検出情報記憶手段に記憶される上記検出情報を上記管理装置に通知する検出情報通知手段と
を備えることを特徴とする請求項１に記載の自動取引装置。
【請求項３】
上記偽券情報が、上記管理装置と当該自動取引装置との間で共通利用可能な形式で作成され、記番号、金種、紙幣発行年を含むものであることを特徴とする請求項１又は２に記載の自動取引装置。
【請求項４】
上記管理装置からの上記最新の偽券情報が、当該自動取引装置に未登録の記番号を含む差分情報であり、
上記偽券情報更新手段が、上記偽券情報記憶部に記憶されている上記偽券情報の記番号に、上記未登録の記番号を追加する
ことを特徴とする請求項１〜３のいずれかに記載の自動取引装置。
【発明の詳細な説明】
【技術分野】
【０００１】
本発明は、自動取引装置に関する。
【背景技術】
【０００２】
例えば、金融機関の店舗や駅や空港等に設置されている自動取引装置（ＡＴＭ；Automatic  Teller  Machine）では、利用者が偽造された紙幣（以下、偽券と呼ぶ。）を用いて不正な取引がなされるおそれがある。
【０００３】
そのため、従来の自動取引装置は、偽券ブラックリストを参照可能な認識部を有している。認識部は、入金又は出金される紙幣に表記されている記番号を読み取る。そして、認識部は、読み取った記番号を用いて偽券ブラックリストを照合し、当該記番号が偽券ブラックリストに登録されている場合には、当該媒体は偽券であると判定し、自動取引装置は当該紙幣を返却している（特許文献１参照）。
【先行技術文献】
【特許文献】
【０００４】
【特許文献１】特開２０１２−２４２８６８号公報
【発明の概要】
【発明が解決しようとする課題】
【０００５】
しかしながら、従来、偽券ブラックリストは、例えば行員等の作業者の操作により、自動取引装置毎に作成されている。つまり、作業者が、1台ずつの自動取引装置において、偽券ブラックリストに登録すべき記番号の入力を行なっている。従って、作業者の作業負担は大きく、また誤入力も生じ得る。
【０００６】
また、従来、自動取引装置毎に偽券ブラックリストが作成されているため、偽券ブラックリストに登録されている内容が異なることが生じ得る。そのため、偽券ブラックリストを一元管理することが強く望まれている。
【０００７】
さらに、認識部の記番号の読み取り精度や、紙幣の状態が悪い（例えば、破損が生じている紙幣や、しわの寄った紙幣など）の場合には、認識部が記番号を正確に読み取れず、真偽判定の確度が問題となり得る。偽券の疑惑のある媒体については別途保管したい。
【０００８】
そのため、管理装置により管理され、記番号等の偽券を特定する情報を含む偽券情報を複数の自動取引装置のそれぞれに対して通知できるようにでき、偽券として疑惑のある媒体を安全に保管できる自動取引装置が求められている。
【課題を解決するための手段】
【０００９】
かかる課題を解決するために、本発明に係る自動取引装置は、（１）偽券を特定する記番号を含む偽券情報を記憶する偽券情報記憶手段と、（２）管理装置に対して最新の偽券情報を定期的に要求する偽券要求手段と、（３）管理装置から最新の偽券情報を取得する偽券情報取得手段と、（４）偽券情報取得手段により取得された最新の偽券情報を偽券情報記憶手段に更新する偽券情報更新手段と、（５）偽券情報記憶手段に記憶されている偽券情報に含まれる記番号と、取引に係る媒体の記番号との一致度に基づいて、当該媒体の真偽を判別する判別手段と、（６）判別手段による判別結果に基づいて、媒体を搬送先に搬送する搬送制御手段と、（７）還流型媒体収納手段と、（８）保管部とを備え、還流型媒体収納手段から媒体を出金する際、判別手段が、出金に係る媒体の真偽を判別し、出金に係る媒体の記番号と偽券情報に含まれる記番号とが完全一致する偽券、及び、出金に係る媒体の記番号と偽券情報に含まれる記番号との一致度が閾値以上の疑惑券は、保管部に搬送されることを特徴とする。
【発明の効果】
【００１２】
本発明によれば、管理装置により管理される偽券情報を複数の自動取引装置のそれぞれに対して通知できるようにでき、偽券として疑惑のある媒体を安全に保管できる。
【図面の簡単な説明】
【００１３】
【図１】第１の実施形態に係る自動取引装置の制御系の構成を示す構成図である。
【図２】第１の実施形態に係る情報管理システムの全体構成を示す全体構成図である。
【図３】第１の実施形態の偽券リストの構成例を示す構成図である。
【図４】第１の実施形態に係る自動取引装置の内部構成を示す内部構成図である。
【図５】第１の実施形態に係る管理装置の内部構成を示す内部構成図である。
【図６】第１の実施形態に係る偽券リストの更新処理を示すシーケンス図である。
【図７】第１の実施形態に係る偽券リストに登録する記番号の登録方法を説明する説明図である。
【図８】第１の実施形態に係る認識部による偽券検出の判別方法及び搬送制御部による搬送制御を説明する説明図である。
【図９】入金取引の場合の判別処理、及び、偽券の搬送処理を説明するフローチャートである。
【図１０】出金取引の場合の判別処理、及び、偽券の搬送処理を説明するフローチャートである。
【図１１】第１の実施形態に係る自動装置において認識部１５による検出された偽券の検出情報の管理装置への通知処理を示すフローチャートである。
【発明を実施するための形態】
【００１４】
（Ａ）第１の実施形態
以下では、本発明に係る自動取引装置、管理装置及び情報管理システムの第１の実施形態を、図面を参照しながら詳細に説明する。
【００１５】
第１の実施形態は、本発明を利用して、各自動取引装置１が、管理装置２から、偽券を検出するために必要な基準情報（「偽券情報」とも呼ぶ。）を取得する情報管理システムを説明する。
【００１６】
また、第１の実施形態は、偽券情報が、偽券と判断される媒体に表記されている記番号、若しくは前記記番号をリスト化した偽券リストである場合を例示する。
【００１７】
（Ａ−１）第１の実施形態の構成
図２は、第１の実施形態に係る情報管理システム５の全体構成を示す全体構成図である。
【００１８】
図２において、第１の実施形態の情報管理システム５は、ネットワーク３を介して、複数の自動取引装置１（１−１〜１−ｎ；ｎは整数）、管理装置２を有する。
【００１９】
各自動取引装置１は、入金取引や出金取引等の各種取引処理を行なうものである。各自動取引装置１は、偽券と判断される媒体に表記されている記番号が登録されている偽券リストを記憶している。
【００２０】
各自動取引装置１は、入金又は出金される紙幣に表記されている記番号を読み取り、その読み取った記番号を偽券リストに登録されている記番号と照合して、認識対象の媒体の真偽を判定している。
【００２１】
各自動取引装置１は、独自に偽券と判断される媒体の記番号を偽券リストに登録できる。また、各自動取引装置１は、ネットワーク３を介して、管理装置２において管理されている偽券リストを取得することができる。
【００２２】
つまり、各自動取引装置１は、独自に記番号を偽券リストに登録することもでき、更に管理装置２において管理される偽券リストに登録されている記番号であって、各自動取引装置１の偽券リストに未登録の記番号を取得でき、その未登録の記番号を偽券リストに更新できる。
【００２３】
また、管理装置２と各自動取引装置１との間で、偽券リストに登録されている記番号を同じにすることが望ましく、管理装置２が各自動取引装置１に最新の偽券リストを通知してもよいし、各自動取引装置１が管理装置２に対して偽券リストを要求してもよい。
【００２４】
第１の実施形態では、各自動取引装置１が、管理装置２に対して偽券リストを要求する場合を例示する。
【００２５】
例えば、各自動取引装置１は、管理装置２に対して、管理装置２により管理されている偽券リストの取得要求を定期的に行なう。そして、各自動取引装置１は、管理装置２から最新の偽券リストを取得し、その最新の偽券リストを保存・更新する。
【００２６】
ここで、偽券リストは、偽券と判断される媒体に表記されている記番号が登録されているリストである。偽券リストは、記番号ブラックリストとも呼ばれている。
【００２７】
また、以下では、各自動取引装置１が保持している偽券リストを「装置偽券リスト」と呼び、管理装置２が保持している偽券リストを「管理偽券リスト」と呼ぶ。
【００２８】
図３は、第１の実施形態の偽券リストの構成例を示す構成図である。
【００２９】
図３に例示するように、偽券リストは、通し番号である「Ｎｏ．」と、偽券と判断される媒体に表記されている「記番号」、当該偽券の「金種情報」とを対応付けられたものである。例えば、「Ｎｏ．１」は、「記番号；ＡＡ１２３４５６７８」が表記された「金種情報；中国元の１００元」の媒体が偽券と判断されることを示している。
【００３０】
なお、偽券リストの項目は図３に例示する項目に限定されるものではなく、偽券リストは、例えば、当該紙幣が発行、流通開始された時期の情報や、偽券が流通した地域情報等の項目を対応付けるようにしてもよい。
【００３１】
管理装置２は、取引処理を管理するサーバであり、例えばホストサーバ等を適用できる。管理装置２は、管理偽券リストを管理しており、各自動取引装置１に対して管理偽券リストを通知するものである。このように、管理装置２が、各自動取引装置１に対して管理偽券リストを通知することにより、最新の偽券の記番号を各自動取引装置１に通知できる。そのため、従来のように自動取引装置１毎に行っていた偽券の記番号の登録（追加）を個別に行う必要がなくなる。
【００３２】
図４は、第１の実施形態に係る自動取引装置１の内部構成を示す内部構成図である。
【００３３】
図４において、第１の実施形態の自動取引装置１は、紙幣入出金部５０、リジェクト庫５１Ａ、複数の紙幣カセット５１Ｂ、５１Ｃ、５１Ｄ、５１Ｅ、一時保留部５２、操作表示部５３、認識部１５、制御部１０、通信部１９、偽券リスト記憶部１６、検出紙幣リスト記憶部１７を有する。なお、図４では、図示しないが、自動取引装置１は、既存の自動取引装置と同様に、硬貨入出金部、レシート発行・出力部、通帳入出部等を有する。
【００３４】
紙幣入出金部５０は、入金される紙幣を搬送路に送り出したり、出金される紙幣を排出したりする。
【００３５】
リジェクト庫５１Ａは、認識部１５による判定結果に基づいて、リジェクト紙幣を収納するものである。リジェクト庫５１Ａに収納される紙幣は、例えば、偽券や、例えば破れ等が生じている紙幣のように紙幣状態が良好でない紙幣とすることができる。第１の実施形態では、リジェクト庫５１Ａは、偽券若しくは偽券の疑いがある疑惑券を保持できる。
【００３６】
各紙幣カセット５１Ｂ、５１Ｃ、５１Ｄ、５１Ｅは、紙幣を収納するものである。各紙幣カセット５１Ｂ、５１Ｃ、５１Ｄ、５１Ｅは、予め決められた金種の紙幣を収納する。各紙幣カセット５１Ｂ、５１Ｃ、５１Ｄ、５１Ｅは、例えば、１００中国元、５０中国元等のように、１種類の金種の紙幣を収納するようにしてもよいし、収納する金種を限定せずに複数の金種の紙幣を収納するようにしてもよい。また、各紙幣カセット５１Ｂ、５１Ｃ、５１Ｄ、５１Ｅは、入金時には紙幣を収納し、出金時に入金された紙幣を出金に用いる還流型紙幣カセットであってもよいし、入金専用紙幣カセットであってもよいし、出金専用紙幣カセットであってもよい。
【００３７】
一時保留部５２は、入金又は出金される紙幣を一時的に保持するものである。第１の実施形態では、一時保留部５２が、偽券若しくは疑惑券を保持できる。
【００３８】
操作表示部５３は、顧客や作業者による操作入力を受け付けたり、取引種別を選択するメニュー画面や取引手続を進行させる表示画面等を表示したりするものである。また、操作表示部５３は、偽券の記番号の入力や、偽券リストに登録されている記番号を含む偽券リストの内容を表示する。操作表示部５３は、例えば、タッチパネルディスプレイを用いることができる。なお、操作表示部５３は、物理的な操作キーや、主たるディスプレイ以外の他のディスプレイを含む概念である。
【００３９】
制御部１０は、自動取引装置１の各種処理を司るものである。制御部１０は、例えば、ＣＰＵ、ＲＯＭ、ＲＡＭ、ＥＥＰＲＯＭ、入出力インタフェース部等を有するものである。例えば、制御部１０は、ＣＰＵが、ＲＯＭに格納されている各種の処理プログラム（例えば、偽券リスト更新プログラム、記番号登録プログラム、搬送処理プログラム、検出結果通知プログラム、各種の取引処理プログラム等）を実行することで、自動取引装置１の各種機能が実現される。なお、各種の処理プログラムは、自動取引装置１にインストールされることにより構築されるようにしてもよい。
【００４０】
認識部１５は、搬送路に設けられており、光学素子や磁気検出素子等により、入金又は出金される紙幣の真偽判定や、汚れや破れ等の程度を判定する紙幣状態判定（正損判定）を行うものである。認識部１５は、鑑別部若しくは認識ユニット等とも呼ばれる。
【００４１】
認識部１５は、搬送路を通過する紙幣に表記されている記番号を読み取り、偽券リスト記憶部１６に記憶されている偽券リストを照合して、読み取った記番号が偽券リストに登録されているものか否かを判断し、当該紙幣の真偽判定を行う。
【００４２】
このとき、読み取った記番号が、偽券リストに登録されている記番号と完全に一致する場合には、当該媒体は偽券であると認識部１５は判定する。なお、認識部１５による判別により、偽券リストに登録されている記番号と完全一致する偽券を「ブラック券」とも呼ぶ。
【００４３】
また、読み取った記番号と、偽券リストに登録されている記番号とが、完全一致ではないが、所定の判別方法により、記番号の評価値が閾値以上である場合には、当該媒体はダウト券であると認識部１５は判定する。なお、認識部１５による判別により、偽券リストに登録されている記番号と完全一致ではないが、偽券である可能性が高い媒体として評価したものをダウト券（疑惑券）と呼ぶ。
【００４４】
なお、以下で表現する「偽券」は、ブラック券、ダウト券の両方を含む紙幣を意図する。
【００４５】
通信部１９は、ネットワーク３を介して、管理装置２との間で情報通信を行なうものである。
【００４６】
偽券リスト記憶部１６は、偽券（すなわち、ブラック券、ダウト券）の記番号が登録されている偽券リストを記憶するものである。
【００４７】
検出紙幣リスト記憶部１７は、後述するように、認識部１５によりブラック券又はダウト券と判断された媒体の記番号や検出時間等の検出情報を記憶するものである。
【００４８】
図１は、第１の実施形態に係る自動取引装置１の制御系の構成を示す構成図である。
【００４９】
図１に示すように、第１の実施形態に係る制御部１０は、偽券リスト更新部１１、記番号登録部１２、搬送制御部１３、検出結果通知部１４を有する。
【００５０】
偽券リスト更新部１１は、最新の偽券リストを保持するために、偽券リスト記憶部１６に記憶されている装置偽券リストの内容を更新するものである。
【００５１】
図１に示すように、偽券リスト更新部１１は、偽券リストファイル作成部１１１、偽券リスト要求部１１２、偽券リスト取得・保存部１１３を有する。
【００５２】
偽券リストファイル作成部１１１は、自装置の偽券リスト記憶部１６に記憶されている装置偽券リストに登録されている全ての記番号を含むリスト（偽券リストファイル）を作成するものである。
【００５３】
偽券リスト要求部１１２は、管理装置２に対して最新の偽券リストの要求を定期的に行うものである。ここで、偽券リスト要求部１１２は、管理装置２に対する要求信号に、偽券リストファイル作成部１１１により作成された偽券リストファイルを含むようにする。
【００５４】
これは、自動取引装置１に未登録の記番号を取得するためである。すなわち、現時点で、自動取引装置１が自装置で保持している装置偽券リストに登録されている記番号を管理装置２に通知する。
【００５５】
後述するように、管理装置２は、管理偽券リストの記番号と装置偽券リストの記番号との差分をとるようにする。そして、管理装置２は、装置偽券リストに未登録の記番号を追加（マージ）した偽券リストを各自動取引装置１に通知する。これにより、自動取引装置１は、自装置の装置偽券リストにすでに登録されている記番号を保持したままであって、さらに未登録の記番号が追加された装置偽券リストを取得できる。
【００５６】
偽券リスト取得・保存部１１３は、管理装置２から取得した偽券リストを、偽券リスト記憶部１６に記憶して、最新の偽券の記番号が登録された偽券リスト（装置偽券リスト）に更新する。
【００５７】
記番号登録部１２は、自装置の装置偽券リストに偽券の記番号を登録するものである。これは、新たに偽券の記番号が発見されたときに、操作表示部５３における作業者の所定の登録操作により、その新しい記番号を装置偽券リストに登録する。記番号の登録方法は、種々の方法を適用できるが、第１の実施形態では、管理偽券リストと共通にするため、後述する管理装置２における記番号の登録方法と同じ方法とする。記番号の登録方法の詳細な説明は、動作の項で行う。
【００５８】
搬送制御部１３は、認識部１５による紙幣の真偽判定の判別結果に応じて、偽券（ブラック券、ダウト券）を所定の搬送先に搬送する。
【００５９】
図１に示すように、搬送制御部１３は、判別結果取得部１３１、搬送処理部１３２を有する。
【００６０】
判別結果取得部１３１は、認識部１５から紙幣の真偽判定の判別結果を取得するものである。
【００６１】
搬送処理部１３２は、認識部１５により偽券であると判定されたときに、取引種別に応じて、搬送路の搬送機構の動作を制御して、当該媒体を所定の搬送先に搬送させるものである。
【００６２】
具体的には、入金取引において、ブラック券であると判定されると、偽券の入金を防止するために、搬送処理部１３２は、搬送先を紙幣入出金部５０とし、当該紙幣を紙幣入出金部５０に返却する。
【００６３】
入金取引において、ダウト券であると判定されると、当該紙幣が偽券であるか否かを事後分析するため、搬送処理部１３２は、搬送先をリジェクト庫５１Ａ（若しくは一時保留部５２）とし、紙幣をリジェクト庫５１Ａ（若しくは一時保留部５２）に搬送する。
【００６４】
出金取引において、ブラック券であると判定されると、偽券の流通（拡散）を防止するため、搬送処理部１３２は、搬送先をリジェクト庫５１Ａ（若しくは一時保留部５２であってもよい）とし、紙幣をリジェクト庫５１Ａ（若しくは一時保留部５２）に搬送する。
【００６５】
出金取引において、ダウト券であると判定されると、当該紙幣の事後分析及び流通を防止するため、搬送処理部１３２は、搬送先をリジェクト庫５１Ａ（若しくは一時保留部５２であってもよい）とし、紙幣をリジェクト庫５１Ａ（若しくは一時保留部５２）に搬送する。
【００６６】
検出結果通知部１４は、認識部１５による真偽判定により偽券（ブラック券、ダウト券）が検出されると、その検出情報を管理装置２に通知するものである。
【００６７】
図１に示すように、検出結果通知部１４は、検出リスト作成部１４１、検出ファイル作成部１４２、検出ファイル通知部１４３を有する。
【００６８】
検出リスト作成部１４１は、認識部１５により偽券（ブラック券、ダウト券）が検出されると、認識部１５により偽券として検出された媒体の記番号を含む検出情報（紙幣検出リスト）を作成し、その検出情報に紙幣検出リスト記憶部１７に記憶するものである。
【００６９】
検出ファイル作成部１４２は、紙幣検出リスト記憶部１７に記憶されている検出情報（紙幣検出リスト）を保存した検出ファイル（プリアラームファイル）を作成するものである。
【００７０】
検出ファイル通知部１４３は、検出ファイル作成部１４２により作成された検出ファイルを管理装置２に通知するものである。
【００７１】
図５は、第１の実施形態に係る管理装置２の内部構成を示す内部構成図である。
【００７２】
図５において、第１の実施形態の管理装置２は、制御部２０、偽券リスト記憶部６１、装置検出情報記憶部６２、操作部６３、通信部６４を有する。
【００７３】
偽券リスト記憶部６１は、管理装置２が管理する管理偽券リストを記憶するものである。
【００７４】
装置検出情報記憶部６２は、１又は複数の自動取引装置１のそれぞれから取得した検出情報としての検出ファイルを記憶するものである。
【００７５】
操作部６３は、管理者の操作入力を受け付けるものであり、例えば、キーボードやマウス、タッチパネルディスプレイ等を適用できる。なお、図５では図示しないが、管理装置２は、表示部としてディスプレイを備えている。
【００７６】
通信部６４は、ネットワーク３を介して、各自動取引装置１との間で情報通信を行なうものである。
【００７７】
制御部２０は、管理装置２の各種処理を司るものである。制御部２０は、例えば、ＣＰＵ、ＲＯＭ、ＲＡＭ、ＥＥＰＲＯＭ、入出力インタフェース部等を有するものである。例えば、制御部２０は、ＣＰＵが、ＲＯＭに格納されている各種の処理プログラム（偽券リスト通知プログラム、記番号登録プログラム、検出ファイル保存プログラム等）を実行することで、管理装置２の各種機能が実現される。なお、各種の処理プログラムは、管理装置２にインストールされることにより構築されるようにしてもよい。
【００７８】
図５に示すように、制御部２０は、偽券リスト通知部２１、記番号登録部２２、検出ファイル処理部２３を有する。
【００７９】
偽券リスト通知部２１は、各自動取引装置１に対して、管理偽券リスト記憶部６１に記憶されている管理偽券リストに登録されている記番号を通知するものである。
【００８０】
図５に示すように、偽券リスト通知部２１は、偽券リストファイル取得部２１１、差分解析部２１２、偽券リスト調整部２１３、偽券リスト送信部２１４を有する。
【００８１】
偽券リストファイル取得部２１１は、各自動取引装置１から偽券リストの要求信号（電文）を取得すると、その要求信号に含まれている各自動取引装置１で作成された偽券リストファイルを取得するものである。
【００８２】
差分解析部２１２は、各偽券リストファイルに基づいて各自動取引装置１の装置偽券リストに登録されている記番号と、管理偽券リストに登録されている記番号との差分処理を行なう。これは、各自動取引装置１において未登録の記番号を解析するためである。
【００８３】
偽券リスト調整部２１３は、差分解析部２１２により得られた差分情報を用いて、要求元の自動取引装置１に通知する偽券リストを作成するものである。
【００８４】
第１の実施形態では、偽券リスト調整部２１３が、差分解析部２１２により得られた差分情報としての記番号を当該装置偽券リストに追加（マージ）して、自動取引装置１において未登録の記番号を含んだ偽券リストを作成する。
【００８５】
ここで、差分情報は、管理偽券リストの記番号と、装置偽券リストの記番号との差分である。特に、第１の実施形態では、差分情報が、管理偽券リストに登録されている記番号であって、装置偽券リストに登録されていない記番号である場合を例示する。
【００８６】
偽券リスト送信部２１４は、偽券リスト調整部２１３により作成された偽券リストを、要求元の自動取引装置１に送信するものである。
【００８７】
記番号登録部２２は、管理偽券リストに、新たな偽券の記番号を登録するものである。記番号登録部２２は、各自動取引装置１における記番号登録部１２（図１参照）と同一又は対応する登録方法により記番号の登録を行なう。
【００８８】
検出ファイル処理部２３は、各自動取引装置１から取得した偽券の検出情報としての検出ファイルを保存するものである。
【００８９】
図５に示すように、検出ファイル処理部２３は、検出ファイル取得部２３１、検出ファイル保存部２３２を有する。
【００９０】
検出ファイル取得部２３１は、各自動取引装置１からの検出ファイルを取得するものである。
【００９１】
検出ファイル保存部２３２は、検出ファイル取得部２３１により取得された検出ファイルを、装置検出情報記憶部６２に記憶するものである。
【００９２】
（Ａ−２）第１の実施形態の動作
（Ａ−２−１）偽券リストの更新処理
次に、第１の実施形態に係る自動取引装置１における偽券リストの更新処理を説明する。
【００９３】
図６は、第１の実施形態に係る偽券リストの更新処理を示すシーケンス図である。
【００９４】
まず、各自動取引装置１では、偽券リスト更新部１１の偽券リストファイル作成部１１１が、装置偽券リストを含むファイル（偽券リストファイル）を作成する（Ｓ１０１）。
【００９５】
例えば、偽券リストファイル作成部１１１は、装置偽券リストをファイルに添付し、偽券リストファイルを作成した日付をファイル名（例えば、作成日が２０１５年１０月２７の場合、ファイル名「201510127」等）とする。
【００９６】
偽券リスト要求部１１２は、定期的に、偽券リストファイルを含む要求信号を管理装置２に送信して、偽券リスト要求を行なう（Ｓ１０２）。
【００９７】
偽券リスト要求部１１２は、例えば、毎日の予め設定された時刻に、偽券リストの要求をするようにしてもよい。これにより、毎日の最新の偽券リストを管理装置２から取得できる。
【００９８】
ここで、第１の実施形態では、各自動取引装置１の偽券リスト更新部１１が、定期的に、管理装置２に対して最新の偽券リストを要求して、最新の偽券リストを取得する場合を説明する。
【００９９】
このように、各自動取引装置１が管理装置２に偽券リストを要求することとした理由は、管理装置２が全ての各自動取引装置１に一斉送信すると、ネットワーク３の帯域負荷が急増したり、管理装置２の処理負荷が増大したりする可能性があるためである。
【０１００】
そのため、第１の実施形態では、自動取引装置１毎に設定された時刻に、偽券リストの要求を管理装置２に行うこととしている。なお、ネットワーク３の帯域負荷や管理装置２の処理負荷を軽減できるのであれば、管理装置２が各自動取引装置１に対して偽券リストを通知するようにしてもよい。
【０１０１】
管理装置２では、偽券リスト通知部２１の偽券リストファイル取得部２１１が、各自動取引装置１から偽券リストファイルを取得する。このとき、各自動取引装置１からの各偽券リストファイルは、管理装置２の記憶部に保存（アップロード）される。
【０１０２】
管理装置２において、差分解析部２１２は、管理偽券リスト記憶部６１を参照し、管理偽券リストに登録されている記番号と、装置偽券リストに登録されている記番号との差分を解析する（Ｓ１０３）。
【０１０３】
すなわち、差分解析部２１２は、管理偽券リストに登録されているものであって、装置偽券リストに未登録の記番号を得る。
【０１０４】
そして、偽券リスト調整部２１３は、差分情報としての未登録の記番号を、取得した装置偽券リストに追加して、偽券リストの調整を行う（Ｓ１０４）。これにより、自動取引装置１に未登録の記番号を含む偽券リストを作成できる。
【０１０５】
偽券リスト送信部２１４は、偽券リスト調整部２１３により調整された偽券リストをファイルに添付した信号を、要求元の自動取引装置１に送信する（Ｓ１０５）。
【０１０６】
自動取引装置１において、偽券リスト取得・保存部１１３は、管理装置２から取得した偽券リストを、偽券リスト記憶部１６に保存して更新する（Ｓ１０６）。これにより、最新の偽券リストに更新できる。
【０１０７】
なお、この実施形態では、自動取引装置１に未登録の記番号をマージした偽券リストを自動取引装置１に送信する場合を例示した。しかし、自動取引装置１に未登録の記番号（すなわち、差分情報）のみを自動取引装置１に送信するようにしてもよい。この場合、自動取引装置１側が、取得した差分情報を、現在の装置偽券ファイルにマージすることで最新の偽券の記番号を更新できる。
【０１０８】
（Ａ−２−２）記番号の登録処理
次に、管理装置２、各自動取引装置１のそれぞれにおいて、偽券と判断される媒体の記番号を、管理偽券リスト、装置偽券リストに登録する処理を説明する。
【０１０９】
偽券リストの記番号の登録（追加）をする際、例えば、操作表示部５３に表示される所定のメニュー画面において記番号の登録ボタンを選択する。操作表示部５３には記番号の登録画面が表示され、作業者が、登録画面において偽券の記番号の入力及び登録処理を行なう。
【０１１０】
ここで、偽券リストに登録される記番号のファイル形式は共通の形式で設定されることが強く望まれる。そこで、偽券リストに登録する記番号の登録方法を、図７を参照しながら説明する。
【０１１１】
図７は、第１の実施形態に係る偽券リストに登録する記番号の登録方法を説明する説明図である。
【０１１２】
例えば、偽券リストは、テキスト形式で登録することができる。また、偽券リストに登録できる記番号の数は、最大１０００件程度としてもよい。もちろん、登録できる記番号の数は、特に限定されるものでなく、１０００件以上としてもよい。
【０１１３】
また、図７に示すように、偽券リストは、１行毎に、偽券の「記番号，金種，紙幣発行年」を半角カンマで区切って記載する。
【０１１４】
具体的には、図７の（例１）「ＨＤ１２３４５６７８,１００，２０１５」は、記番号が「ＨＤ１２３４５６７８」であり、金種は「１００（中国元）」であり、紙幣の発行年は「２０１５（年）」であることを示す。
【０１１５】
また、記番号登録部１２及び２２は、認識部１５による記番号の照合の際に、数字やアルファベット等の文字を限定しないワイルドカードを用いて記番号を登録するようにしてもよい。例えば、「アスタリスク（＊）」は、複数の文字列（数字列、アルファベットの文字列等）が任意である場合に用いられる。また、「疑問符（？）」は、１文字が任意である場合に用いられる。
【０１１６】
図７の（例２）「＊ＨＤ８０＊，１００，＊」の場合、記番号の先頭文字「Ｈ」の前の文字を指定せず、「ＨＤ８０」以降の文字列も指定せず、また紙幣発行年も指定しないで、記番号を検索できるようにする。
【０１１７】
図７の（例４）「ＨＤ９０１０２１？，１００，＊」の場合、「ＨＤ９０１０２１」の後の１文字は指定せず、記番号を検索できるようにする。
【０１１８】
さらに、記番号登録部１２及び２２は、記番号の連番を範囲指定するようにしてもよい。例えば、図７の（例３）「ＨＤ９０１０２１００−ＨＤ９０１０２１９９，＊，２００５」は、紙幣発行年「２００５」の記番号が「ＨＤ９０１０２１００−ＨＤ９０１０２１９９」の記番号を検索できるようにする。
【０１１９】
（Ａ−２−３）偽券検出処理及び搬送処理
次に、第１の実施形態における偽券検出処理及び搬送処理を、図面を参照しながら説明する。
【０１２０】
図８は、第１の実施形態に係る認識部１５による偽券検出の判別方法及び搬送制御部１３による搬送制御を説明する説明図である。
【０１２１】
図９は、入金取引の場合に、認識部１５による偽券（ブラック券、ダウト券）の判別処理、及び、偽券の搬送処理を説明するフローチャートである。
【０１２２】
自動取引装置１において、入金取引の際、紙幣入出金部５０から１枚ずつ紙幣が繰り出されて、紙幣は搬送路を搬送して認識部１５を通過する。認識部１５は、紙幣の表面の画像を撮像し、その画像データに基づいて、紙幣に表記されている記番号を読み取る（Ｓ２０１）。
【０１２３】
認識部１５は、偽券リストを参照して、読み取った記番号と、偽券リストの記番号との一致度を判定する（Ｓ２０２）。
【０１２４】
このとき、読み取った記番号が、偽券リストの記番号と完全に一致する場合、認識部１５は、当該媒体をブラック券と判定する（図８参照）。
【０１２５】
また、読み取った記番号が、偽券リストの記番号と完全に一致しないが、記番号の一致度が閾値（例えば８０％）以上である場合、当該紙幣をダウト券と判定する（図８参照）。
【０１２６】
例えば、記番号がアルファベットを含め１０桁の文字（数字、アルファベット）であるとする。読み取った１０桁の記番号のうちの１文字が、偽券リストの記番号の対応する文字と一致するか否かを認識部１５は判断し、一致する１文字につき、認識部１５は「＋１０％」と判定する。また、認識部１５の読み取り精度や紙幣状態により、認識部１５が文字を読み取れない場合もある。その場合、不読の１文字につき「＋５％」と判定する。このように、読み取った記番号について、１文字ごとに判定値（一致度）を加点していき、一致度が８０％以上である場合、認識部１５は当該媒体をダウト券と判定する。
【０１２７】
搬送制御部１３では、認識部１５による判別結果を取得すると、搬送処理部１３２は、判別結果（一致度）を判定する（Ｓ２０３）。そして、一致度が閾値（例えば８０％）未満の場合、認識部１５は真券と判断し、搬送処理部１３２は、当該紙幣の金種の金種カセットを搬送先とする（Ｓ２０４）。
【０１２８】
一方、読み取った記番号が偽券リストの記番号と完全一致の場合、認識部１５はブラック券と判断し、搬送処理部１３２は、搬送先を紙幣入出金部５０とし、当該紙幣を顧客に返却する（Ｓ２０５）。
【０１２９】
また、一致度が閾値（例えば８０％）以上の場合、認識部１５はダウト券と判断し、搬送処理部１３２は、搬送先をリジェクト庫５１Ａとする（Ｓ２０６）。
【０１３０】
図１０は、出金取引の場合に、認識部１５による偽券（ブラック券、ダウト券）の判別処理、及び、偽券の搬送処理を説明するフローチャートである。
【０１３１】
自動取引装置１において、出金取引の際、指定された金種の紙幣カセット５１Ｂ〜５１Ｅのいずれかから、紙幣が繰り出され、紙幣は搬送路を搬送して、認識部１５を通過する。認識部１５は、紙幣の表面の画像データに基づいて、紙幣に表記されている記番号を読み取る（Ｓ３０１）。
【０１３２】
認識部１５は、偽券リストを参照して、読み取った記番号と、偽券リストの記番号との一致度を判定する（Ｓ３０２）。このとき、認識部１５による判別方法は、図９で説明した方法と同一の方法を適用する。
【０１３３】
搬送制御部１３では、認識部１５による判別結果を取得すると、搬送処理部１３２は、判別結果（一致度）を判定する（Ｓ３０３）。そして、一致度が閾値（例えば８０％）未満の場合、認識部１５は真券と判断し、搬送処理部１３２は、搬送先を紙幣入出金部５０とする（Ｓ３０４）。
【０１３４】
一方、読み取った記番号が偽券リストの記番号と完全一致の場合、認識部１５はブラック券と判断し、搬送処理部１３２は、搬送先をリジェクト庫５１Ａとする（Ｓ３０５）。
【０１３５】
また、一致度が閾値（例えば８０％）以上の場合、認識部１５はダウト券と判断し、搬送処理部１３２は、搬送先をリジェクト庫５１Ａとする（Ｓ３０６）。
【０１３６】
入金又は出金の際、ダウト券については、作業員により正常な紙幣であるか又は偽券であるかを事後分析する必要がある。そのため、ダウト券を保持するために、リジェクト庫５１Ａに収納するものとする。しかし、ダウト券を保持できればよいため、ダウト券を一時保留部５２に保持するようにしてもよい。
【０１３７】
（Ａ−２−４）検出情報の通知処理
次に、第１の実施形態に係る自動取引装置１において認識部１５による検出された偽券の検出情報（検出ファイル）の管理装置２への通知処理を説明する。
【０１３８】
図１１は、第１の実施形態に係る自動取引装置１において認識部１５による検出された偽券の検出情報（検出ファイル）の管理装置２への通知処理を示すフローチャートである。
【０１３９】
自動取引装置１において、認識部１５により偽券（ブラック券、ダウト券）が検出されると（Ｓ４０１）、検出リスト作成部１４１は、認識部１５により偽券として検出された記番号を含む検出情報（紙幣検出リスト）を作成し（Ｓ４０２）、その検出情報に紙幣検出リスト記憶部１７に記憶する。
【０１４０】
ここで、検出リスト作成部１４１は、認識部１５により検出された記番号と、偽券を検出した発生日時情報とを、例えばテキスト形式で記載した検出情報（紙幣検出リスト）を作成する。
【０１４１】
例えば、検出ファイルに保存する記番号は、偽券リストに登録した形式と同様に、（記番号，金種，紙幣発行年）の形式で作成する。また、発生日時情報は、例えば１４桁で記載したものを作成する。
【０１４２】
なお、複数の偽券の記番号が検出された場合には、各記番号を認識できるように、検出リスト作成部１４１は、複数の行で区分して、各記番号及び発生日時情報を記載して作成する。
【０１４３】
検出ファイル作成部１４２は、紙幣検出リスト記憶部１７に記憶されている検出情報（紙幣検出リスト）を保存した検出ファイル（プリアラームファイル）を作成する（Ｓ４０３）。
【０１４４】
例えば、検出ファイル作成部１４２は、自動取引装置１の識別情報（例えば、装置コード、ＩＤ等）と、検出した日付とを含むものを、検出ファイル名とする。例えば、自動取引装置１の装置コードが「ＢＯＣ１２／ＡＢＣＤ/ＥＦＧ０５０００１０１」であり、偽券を検出した日付が「２０１５年１０月２７日」の場合、検出ファイル作成部１４２は、検出ファイル名を「ＢＯＣ１２／ＡＢＣＤ/ＥＦＧ０５０００１０１−２０１５１０２７」とする。
【０１４５】
そして、検出ファイル通知部１４３は、作成された検出ファイルを、管理装置２に送信する（Ｓ４０４）。
【０１４６】
管理装置２では、自動取引装置１からの検出ファイルを取得すると、検出がいる保存部２３２が、取得した検出ファイルを装置検出情報記憶部６２に保存する（Ｓ４０５）。
【０１４７】
自動取引装置１において、検出結果通知部１４３は、紙幣検出リスト記憶部１７に記憶される検出情報（紙幣検出リスト）であって、管理装置２に通知済みのものを削除する（Ｓ４０６）。
【０１４８】
なお、紙幣検出リスト記憶部１７に記憶されている検出情報は、管理装置２への通知が確実に行なわれない場合もあるため、所定期間だけ記憶しておき、所定期間経過後に、検出結果通知部１４が検出情報を削除するようにしてもよい。
【０１４９】
また、自動取引装置１において、偽券の記番号の検証するために、検出情報の削除をしないようにしてもよい。
【０１５０】
（Ａ−３）第１の実施形態の効果
以上のように、第１の実施形態によれば、管理装置が複数の自動取引装置のそれぞれに最新の偽券リストを通知することができる。また、第１の実施形態によれば、複数の自動取引装置の間で同期のとれた最新の偽券リストを記憶させることができ、疑惑のある媒体を安全に保管できる。
【０１５１】
（Ｂ）他の実施形態
上述した実施形態においても種々の変形実施形態を言及したが、本発明は、以下の実施形態にも適用できる。
【０１５２】
（Ｂ−１）上述した実施形態では、各自動取引装置が、管理装置に対して偽券リストを要求する場合を例示した。しかし、管理装置が主体的に各自動取引装置に偽券リストを通知するようにしてもよい。この場合、各自動取引装置が、管理偽券リストの記番号と、装置偽券リストの記番号との差分をとり、未登録の記番号を装置偽券リストに登録するようにしてもよい。
【０１５３】
（Ｂ−２）上述した第１の実施形態では、物理的に１個の管理装置である場合を例示した。しかし、管理装置が備える各機能を複数の装置に分散配置させるようにしてもよい。
【０１５４】
また、第１の実施形態で説明した管理装置を複数備えるようにしてもよい。例えば、偽券の記番号を管理する管理装置を地域ごとに配置し、各地域に属する自動取引装置に対しては、当該地域の管理装置から最新の偽券リストを取得できるようにしてもよい。
【０１５５】
さらに、第１の実施形態では、管理装置が、偽券の記番号が登録された管理偽券リストを保持する場合を例示した。しかし、偽券を用いた不正な取引が行なわれた場合、その場所の属する地域や近隣の地域で、再度、その偽券が使用される傾向にある。そこで、管理装置は、特に偽券が使用された地域限定の偽券リストを別途保持し、その地域限定の偽券リストを、その地域に属する自動取引装置に通知するようにしてもよい。
【０１５６】
（Ｂ−３）第１の実施形態では、差分情報が、管理偽券リストに登録されている記番号であって、装置偽券リストに登録されていない記番号である場合を例示した。
【０１５７】
しかし、差分情報が、装置偽券リストに登録されている記番号であって、管理偽券リストに登録されていない記番号であるものであってもよい。この場合、当該差分である記番号を管理装置の表示部にアラーム表示し、管理者が、自動取引装置に登録されており、管理装置に未登録の記番号を、新たに登録することで、管理装置に未登録の記番号を装置偽券リストに登録でき、また、その後の他の自動取引装置に対しても知らせることができる。
【０１５８】
（Ｂ−４）第１の実施形態では、認識部が、ダウト券を判別する際、記番号の一致度を求めて判断する場合を説明した。
【０１５９】
ここで、例えば、偽券リストにワイルドカードを用いて記番号が登録されている場合、「アスタリスク（＊）」や「疑問符（？）」以外の文字が、偽券リストの記番号と一致するか否かを判断する。
【０１６０】
この場合、認識部は、「アスタリスク（＊）」や「疑問符（？）」以外の文字が完全一致の場合、ブラック券と判断する。
【０１６１】
このとき、１０桁の記番号のうち「アスタリスク（＊）」や「疑問符（？）」で任意の文字とする文字数が多い場合、不一致の文字が少ない場合でも、ダウト券として判断される可能性がある。そこで、ワイルドカードを用いて記番号が登録されている場合、ワイルドカードとした任意の文字数を勘案して、不一致の文字について、「−１５％」や「−２０％」等のように、一致度の程度を下げるようにして一致度を求めるようにしてもよい。
【０１６２】
（Ｂ−５）また、認識部は、偽券の記番号のうち偽券を特有の特徴的な文字については、重みつけをして一致度を求めるようにしてもよい。
【０１６３】
（Ｂ−６）上述した第１の実施形態では、偽券情報が、偽券の記番号若しくは前記記番号をリスト化した偽券リストである場合を例示した。しかし、偽券情報は、認識部により偽券を特定するための基準情報であれば、記番号若しくは偽券リストに限定されるものではない。例えば、偽券情報は、認識部が紙幣の画像を撮像した画像データを用いて判別するため、偽券の紙面の画像データであってもよいし、偽券を特定するための特徴データ等を含むものであってもよい。
【０１６４】
（Ｂ−７）上述した第１の実施形態では、各自動取引装置１が管理装置２に偽券リストを要求する際、偽券リストの要求信号に自動取引装置１が作成する偽券リストを含めず、管理装置２が差分解析Ｓ１０３を行わず、単に管理装置２にある最新の偽券リストを自動取引装置１送信するものとし、自動取引装置１の記番号登録部２２による偽券リスト更新時または毎日の予め設定された時刻に自動取引装置１が管理装置２に当該偽券リストを送信し、管理装置２は偽券リストの差分解析により管理偽券リストを更新するものとしてもよい。
【符号の説明】
【０１６５】
１（１−１〜１−ｎ）…自動取引装置、２…管理装置、３…ネットワーク、５…情報管理システム、
５０…紙幣入出金部、５１Ａ…リジェクト庫、５１Ｂ〜５１Ｅ…紙幣カセット、５２…一時保留部、５３…操作表示部、１５…認識部、１０…制御部、１９…通信部、１６…偽券リスト記憶部、１７…検出紙幣リスト記憶部、
１１…偽券リスト更新部、１２…記番号登録部、１３…搬送制御部、１４…検出結果通知部、
２０…制御部、６１…偽券リスト記憶部、６２…装置検出情報記憶部、６３…操作部、６４…通信部。
【図１】
0006720667.tif 000002
【図２】
0006720667.tif 000003
【図３】
0006720667.tif 000004
【図４】
0006720667.tif 000005
【図５】
0006720667.tif 000006
【図６】
0006720667.tif 000007
【図７】
0006720667.tif 000008
【図８】
0006720667.tif 000009
【図９】
0006720667.tif 000010
【図１０】
0006720667.tif 000011
【図１１】
0006720667.tif 000012